(57)【特許請求の範囲】
【請求項１】
基礎と建物躯体との間に設けられた通気孔付きの基礎パッキンを介して床下空間と屋外との間に形成される通気経路の開閉構造において、
前記建物躯体の表面に取り付けられた外壁仕上げ材の下方に水切り部材が設けられ、
前記水切り部材は、前記基礎パッキンの屋外側に、前記基礎パッキンから間隔を空けて配置され、
前記基礎パッキンの前方側となる前記水切り部材の裏面空間には、吸水性体積膨張材が設置され、この吸水性体積膨張材が膨張した場合に前記通気経路を閉塞可能とし、膨張しない場合に前記通気経路を開放可能とする空間が形成されており、
前記水切り部材の裏面の前記通気経路の一部には小区画が設けられ、当該小区画には立ち上がり面が設けられ、
前記小区画の内部に前記吸水性体積膨張材が設置され、当該吸水性体積膨張材が前記立ち上がり面よりも前記基礎パッキン側に設けられていることを特徴とする通気経路開閉構造。
【請求項２】
基礎と建物躯体との間に設けられた通気孔付きの基礎パッキンを介して床下空間と屋外との間に形成される通気経路の開閉構造において、
前記建物躯体の表面に取り付けられた外壁仕上げ材の下方に水切り部材が設けられ、
前記水切り部材は、前記基礎パッキンの屋外側に、前記基礎パッキンから間隔を空けて配置され、
前記基礎パッキンの前方側となる前記水切り部材の裏面空間には、吸水性体積膨張材が設置され、この吸水性体積膨張材が膨張した場合に前記通気経路を閉塞可能とし、膨張しない場合に前記通気経路を開放可能とする空間が形成されており、
前記水切り部材には、前記通気経路を閉塞する閉塞板が設けられ、
前記閉塞板は、前記吸水性膨張材が膨張することで前記通気経路を閉塞し、乾燥とともに体積が収縮すると前記通気経路を通気可能に開放することを特徴とする通気経路開閉構造。
【請求項３】
請求項１または２に記載の通気経路開閉構造において、
前記吸水性体積膨張材は、前記水切り部材の延設方向に沿って切れ目なく配置される長尺の部材であり、浸水により吸水して前記空間内で膨張することを特徴とする通気経路開閉構造。
【請求項４】
請求項１〜３のいずれか一項に記載の通気経路開閉構造において、
前記吸水性体積膨張材は、前記空間のうち、吸水して膨張した後に乾燥とともに体積が収縮するのに伴って前記通気経路を開放可能にできる位置に取り付けられていることを特徴とする通気経路開閉構造。
【発明の詳細な説明】
【技術分野】
【０００１】
本発明は、通気経路開閉構造に関する。
【背景技術】
【０００２】
従来、建物の耐久性を確保するために、床下空間を換気して地面から上昇してくる湿気などを滞留させないようにしている。また、床下空間を換気する方法には、基礎パッキンを用いて水切り部材から空気を出し入れするものが挙げられる。
特許文献１に示されたように、建物の外周に沿って基礎と建物との間に基礎内側の空気を換気するために換気台輪（以下、基礎パッキン）が配置されている。この基礎パッキンには、床下空間と外側とを繋ぐ通気口が複数設けられている。
また、この基礎パッキンから雨水などが浸入しないように基礎パッキンの外側に水切り部材が設けられている。
【先行技術文献】
【特許文献】
【０００３】
【特許文献１】特開２００８−３１６９８号公報
【発明の概要】
【発明が解決しようとする課題】
【０００４】
しかしながら、特許文献１に記載の水切りでは、上や側方からの水の浸入を防ぐ雨避けの役割を果たし、例えば、台風のような雨だけでなく強風が吹いて基礎の近傍で風が吹き上げているような場合や床下浸水時には、十分に水の浸入を防ぐことができない。
また、水切り部材から基礎パッキンまでの空間に水の浸入を防ぐものが何も設けられていないため、浸入した水がそのまま基礎パッキンの通気口から床下空間へと、さらに浸入してしまう。
【０００５】
本発明は、上記課題に鑑みてなされたもので、水切り部材の裏面側に水が浸入しても基礎パッキンまで水が浸入することなく、床下空間に浸水させないことを目的とする。
【課題を解決するための手段】
【０００６】
上記課題を解決するため、請求項１に記載の発明は、例えば、図４，５に示すように、基礎２と建物躯体４との間に設けられた通気孔３１付きの基礎パッキン３を介して床下空間Ｕと屋外Ｏとの間に形成される通気経路ＶＲの開閉構造において、前記建物躯体４の表面に取り付けられた外壁仕上げ材５の下方に水切り部材６が設けられ、前記水切り部材６は、前記基礎パッキン３の屋外Ｏ側に、前記基礎パッキン３から間隔を空けて配置され、前記基礎パッキン３の前方側となる前記水切り部材６の裏面空間には、吸水性体積膨張材８が設置され、この吸水性体積膨張材８が膨張した場合に前記通気経路ＶＲを閉塞可能とし、膨張しない場合に前記通気経路ＶＲを開放可能とする空間Ｓが形成されており、前記水切り部材６の裏面の前記通気経路ＶＲの一部には小区画Ｃが設けられ、当該小区画Ｃには立ち上がり面１１２，１３１ｂが設けられ、前記小区画Ｃの内部に前記吸水性体積膨張材８が設置され、当該吸水性体積膨張材８が前記立ち上がり面１１２，１３１ｂよりも前記基礎パッキン３側に設けられていることを特徴とする。
【０００７】
請求項１に記載の発明によれば、基礎２と建物躯体４との間に設けられた通気孔３１付きの基礎パッキン３を介して床下空間Ｕと屋外Ｏとの間に形成される通気経路ＶＲの開閉構造において、建物躯体４の表面に取り付けられた外壁仕上げ材５の下方に水切り部材６が設けられ、水切り部材６は、基礎パッキン３の屋外Ｏ側に、基礎パッキン３から間隔を空けて配置され、基礎パッキン３の前方側となる水切り部材６の裏面空間には、吸水性体積膨張材８が設置され、この吸水性体積膨張材８が膨張した場合に通気経路ＶＲを閉塞可能とし、膨張しない場合に通気経路ＶＲを開放可能とする空間Ｓが形成されているので、通気経路ＶＲには、吸水性体積膨張材８が設けられることとなり、水切り部材６の裏面側に水が浸入しても、通気経路ＶＲにおいて吸水性体積膨張材８が吸水するので基礎パッキン３の通気孔３１へと水が浸入することを防ぐことができる。
また、吸水性体積膨張材８が吸水して膨張した場合に閉塞されて通気が遮断可能な空間Ｓが形成されているので、仮に吸水性体積膨張材８が吸水可能な水量を超えて、これ以上吸水も膨張もできない状況になったとしても、吸水性体積膨張材８自体が空間Ｓを閉塞して通気を遮断することができる。
このため、水が水切り部材６の裏面側に大量に浸入したとしても、通気孔３１へと水が浸入することを防ぐことができる。
以上のように、水切り部材６の裏面側に水が浸入しても基礎パッキン３まで水が浸入することなく、床下空間Ｕに浸水させないことができる。
さらに、水切り部材６の裏面の通気経路ＶＲの一部には小区画Ｃが設けられ、小区画Ｃの内部に吸水性体積膨張材８が設置されているので、膨張することで小区画Ｃの内部に充満した状態となり、より確実に空間Ｓを閉塞して通気を遮断して水の浸入を防ぐことができる。そして、小区画Ｃには立ち上がり面１１２，１３１ｃが設けられ、吸水性体積膨張材８が立ち上がり面１１２，１３１ｃよりも基礎パッキン３側に設けられているので、立ち上がり面１１２，１３１ｂが水の浸入をまず防ぐことができ、立ち上がり面１１２，１３１ｃで防ぎ切れなかった水の浸入を吸水性体積膨張材８が防ぐことができる。このため、より確実に水の浸入を防ぐことができる。
【０００８】
上記課題を解決するため、請求項２に記載の発明は、例えば、図１に示すように、基礎２と建物躯体４との間に設けられた通気孔３１付きの基礎パッキン３を介して床下空間Ｕと屋外Ｏとの間に形成される通気経路ＶＲの開閉構造において、前記建物躯体４の表面に取り付けられた外壁仕上げ材５の下方に水切り部材６が設けられ、前記水切り部材６は、前記基礎パッキン３の屋外Ｏ側に、前記基礎パッキン３から間隔を空けて配置され、前記基礎パッキン３の前方側となる前記水切り部材６の裏面空間には、吸水性体積膨張材８が設置され、この吸水性体積膨張材８が膨張した場合に前記通気経路ＶＲを閉塞可能とし、膨張しない場合に前記通気経路ＶＲを開放可能とする空間Ｓが形成されており、前記水切り部材６には、前記通気経路ＶＲを閉塞する閉塞板７２が設けられ、前記閉塞板７２は、前記吸水性膨張材８が膨張することで前記通気経路ＶＲを閉塞し、乾燥とともに体積が収縮すると前記通気経路ＶＲを通気可能に開放することを特徴とする。
【０００９】
請求項２に記載の発明によれば、基礎２と建物躯体４との間に設けられた通気孔３１付きの基礎パッキン３を介して床下空間Ｕと屋外Ｏとの間に形成される通気経路ＶＲの開閉構造において、建物躯体４の表面に取り付けられた外壁仕上げ材５の下方に水切り部材６が設けられ、水切り部材６は、基礎パッキン３の屋外Ｏ側に、基礎パッキン３から間隔を空けて配置され、基礎パッキン３の前方側となる水切り部材６の裏面空間には、吸水性体積膨張材８が設置され、この吸水性体積膨張材８が膨張した場合に通気経路ＶＲを閉塞可能とし、膨張しない場合に通気経路ＶＲを開放可能とする空間Ｓが形成されているので、通気経路ＶＲには、吸水性体積膨張材８が設けられることとなり、水切り部材６の裏面側に水が浸入しても、通気経路ＶＲにおいて吸水性体積膨張材８が吸水するので基礎パッキン３の通気孔３１へと水が浸入することを防ぐことができる。
また、吸水性体積膨張材８が吸水して膨張した場合に閉塞されて通気が遮断可能な空間Ｓが形成されているので、仮に吸水性体積膨張材８が吸水可能な水量を超えて、これ以上吸水も膨張もできない状況になったとしても、吸水性体積膨張材８自体が空間Ｓを閉塞して通気を遮断することができる。
このため、水が水切り部材６の裏面側に大量に浸入したとしても、通気孔３１へと水が浸入することを防ぐことができる。
以上のように、水切り部材６の裏面側に水が浸入しても基礎パッキン３まで水が浸入することなく、床下空間Ｕに浸水させないことができる。
さらに、水切り部材６には、通気経路ＶＲを閉塞する閉塞板７２が設けられ、閉塞板７２は、吸水性膨張材８が膨張することで通気経路ＶＲを閉塞し、乾燥とともに体積が収縮すると通気経路ＶＲを通気可能に開放するので、吸水性体積膨張材８により空間Ｓを閉塞するよりも止水性が高く、確実に空間Ｓを閉塞することができる。
【００１０】
請求項３に記載の発明は、例えば、図１，３に示すように、請求項１または２に記載の通気経路開閉構造１において、前記吸水性体積膨張材８は、前記水切り部材６の延設方向に沿って切れ目なく配置される長尺の部材であり、浸水により吸水して前記空間Ｓ内で膨張することを特徴とする。
【００１１】
請求項３に記載の発明によれば、吸水性体積膨張材８は、水切り部材６の延設方向に沿って切れ目なく配置される長尺の部材であり、浸水により吸水して空間Ｓ内で膨張するので、吸水して膨張した場合、水切り部材６の内部の空間Ｓを切れ目なく閉塞することができる。
このため、空間Ｓのわずかな隙間からさえも水の浸入を許すことなくより確実に水の浸入を防ぐことができる。例えば、洪水など建物が浸水してしまうような場合においても、床下空間Ｕへの水の浸入をより確実に防ぐことができる。
【００１２】
請求項４に記載の発明は、例えば、図１，４，５に示すように、請求項１〜３のいずれか一項に記載の通気経路開閉構造１において、前記吸水性体積膨張材８は、前記空間Ｓのうち、吸水して膨張した後に乾燥とともに体積が収縮するのに伴って前記通気経路ＶＲを開放可能にできる位置に取り付けられていることを特徴とする。
【００１３】
請求項４に記載の発明によれば、吸水性体積膨張材８は、空間Ｓのうち、吸水して膨張した後に乾燥とともに体積が収縮するのに伴って通気経路ＶＲを開放可能とする位置に取り付けられているので、膨張した吸水性体積膨張材８が乾燥収縮して空間Ｓを通気可能に開放することができる。
このため、水切り部材６の裏面側に水が浸入するような場合には、吸水性体積膨張材８が膨張して基礎パッキン３の通気孔３１へと水が浸入しないように空間Ｓを閉塞して通気を遮断することができる。
また、水切り部材６の裏面側に水が浸入しない場合には、吸水性体積膨張材８が乾燥とともに体積が収縮して空間Ｓを通気可能に開放することができる。
つまり、天候条件により、適宜空間Ｓを開放または遮断することができる。
【発明の効果】
【００１８】
本発明によれば、水切り部材の裏面側に水が浸入しても基礎パッキンまで水が浸入することなく、床下空間に浸水させないことができる。
【図面の簡単な説明】
【００１９】
【図１】ａ）本発明の第１実施形態に係る通気経路開閉構造（開放時）を示した縦断面図である。ｂ）本発明の第１実施形態に係る通気経路開閉構造（遮断時）を示した縦断面図である。
【図２】本発明の第１実施形態に係る基礎パッキンを示した斜視図である。
【図３】ａ）本発明の第１〜３実施形態に係る吸水性体積膨張材（収縮時）を示した斜視図である。ｂ）本発明の第２，３実施形態に係る吸水性体積膨張材（膨張時）を示した斜視図である。ｃ）本発明の第１実施形態に係る吸水性体積膨張材（膨張時）を示した斜視図である。
【図４】ａ）本発明の第２実施形態に係る通気経路開閉構造（開放時）を示した縦断面図である。ｂ）本発明の第２実施形態に係る通気経路開閉構造（遮断時）を示した縦断面図である。
【図５】ａ）本発明の第３実施形態に係る通気経路開閉構造（開放時）を示した縦断面図である。ｂ）本発明の第３実施形態に係る通気経路開閉構造（遮断時）を示した縦断面図である。
【発明を実施するための形態】
【００２０】
以下、図面を参照して本発明の実施の形態について説明する。ただし、以下に述べる実施形態には、本発明を実施するために技術的に好ましい種々の限定が付されているが、本発明の技術的範囲を以下の実施形態および図示例に限定するものではない。
【００２１】
本発明の第１実施形態では、図１に示すように、建物１０は、地盤に設けられ建物１０の荷重を受ける基礎２と、この基礎２の上に建物１０の外周に沿って配置される通気孔３１を有する基礎パッキン３と、建物１０の構造強度を確保する建物躯体４と、この建物躯体４の表面に取り付けられる外壁仕上げ材５と、この外壁仕上げ材５の下方に設けられた水切り部材６と、を備えている。
そして、このような建物１０に対して通気経路開閉構造１が適用されている。
通気経路開閉構造１は、この水切り部材６に取り付けられる閉塞部７と、この閉塞部７と水切り部材６との間に設けられる吸水性体積膨張材８と、この吸水性体積膨張材８が膨張した場合に閉塞部７と当接する立ち上がり面９と、を備えている。
また、通気経路開閉構造１には、屋外Ｏから水切り部材６の裏面空間と基礎パッキン３の通気孔を介して床下空間Ｕまで通じる通気経路ＶＲが形成されている。この通気経路ＶＲには、水切り部材６の裏面側から基礎パッキン３の外側までの空間Ｓが形成されている。この空間Ｓには、水切り部材６の内部となる小区画Ｃが形成されている。
【００２２】
図２に示すように、基礎パッキン３は、基礎２と建物躯体４との間に基礎２の延設方向に沿って配置されている。
基礎パッキン３は、長尺な矩形板状のものであり、建物１０に延設される方向に複数設けられた通気孔３１が建物１０の外側から内側へ貫通するようにして形成されている。
この通気孔３１はその両端開口部が先端（建物１０の外側と内側）に向かうにしたがって漸次拡径するように形成されており、開口部分の有効換気面積が基礎パッキン３の長さ４ｍあたり３００ｃｍ２以上ある。これによって、必要十分な換気量を確保することができるようになっている。
【００２３】
また、基礎パッキン３には、上下に貫通する貫通口３２が延設方向に所定間隔で複数（例えば４個）形成されている。この貫通口３２は平面視略長方形状に形成されており、基礎２から突出するアンカーボルトが挿通されるようになっている。
なお、複数の通気孔３１のうちの一部は隣り合う貫通口３２の間を貫通しており、残りは貫通口３２に連通しており、貫通口３２を通して換気ができるようになっている。
また、基礎パッキン３には、これを基礎２に固定する釘を挿通するための釘孔３３が複数設けられている。この釘孔３３は隣り合う貫通口３２の間に形成されている。
【００２４】
水切り部材６は、図１に示すように、金属平板を折り曲げ加工した金属部材であり、建物躯体４の下端部において、建物１０の外周に沿って当接固定される固定部６１と、建物躯体４の下端から外側へと延出する延出部６２と、この延出部６２の先端から鉛直下方に折れ曲がって形成される鉛直部６３と、を備えている。
また、水切り部材６は、外壁仕上げ材５の下方に設けられており、延出部６２と鉛直部６３とが基礎２と建物躯体４との間を上方と側方からカバーするので、例えば、外壁仕上げ材５に吹き付けられた雨水が外壁仕上げ材５を伝って下へと流れ落ちる際、延出部６２と鉛直部６３とを伝って地面へと雨水が流れることとなっている。また、基礎パッキン３に吹き付けられるはずの雨水は鉛直部６３によって遮られるので、水切り部材６の裏側へと水が浸入しにくくなっている。
【００２５】
閉塞部７は、水切り部材６の鉛直部６３の裏面に取り付けられる取付板７１と、吸水性体積膨張材８が膨張した場合に立ち上がり面９と当接する閉塞板７２と、この閉塞板７２と取付板７１とを回動可能に連結するヒンジ７３と、を備えている。
また、閉塞部７は、取付板７１の下端が鉛直部６３の下端と略同じ位置になるように設けられ、この下端にヒンジ７３が設けられ、このヒンジ７３に閉塞板７２の一端が取り付けられており、閉塞板７２の他端は何れにも固定されない自由端となっている。また、この閉塞板７２には、複数の通水穴７２ａが形成されている。
【００２６】
吸水性体積膨張材８は、図１，３に示すように、水切り部材６の延設方向に沿って切れ目なく配置される長尺の不織布の袋体であって、水を吸収すると膨潤して体積が膨張する吸水性ポリマー８２を袋８１が内包したものである。
また、吸水性体積膨張材８は、吸水性ポリマー８２を内包する袋８１の複数個所に容量を増減するためのガゼット８３が設けられており、このガゼット８３の設けられる位置や大きさなどにより吸水性ポリマー８２が膨潤した際にガゼット８３が広がって略直方体形状や略三角柱状になるように設計されている。
また、吸水性ポリマー８２は、徐放性を有しており、水を吸収した後、大気へと水分を徐放するため、雨が止んだ後、数日のうちに膨潤する前の状態に戻る。
【００２７】
また、吸水性体積膨張材８は、袋８１の両面に図示しない接着面を有する接着シートが設けられており、一方の接着面と鉛直部６３の裏面とが接着されて水切り部材６に取り付けられ、他方の接着面と閉塞板７２とが接着されて閉塞部７にも取り付けられている。
このため、吸水性体積膨張材８が吸水して体積が膨張したり、その後乾燥とともに収縮したりすることにより、他端が自由端となっている閉塞板７２がヒンジ７３を回転軸として回動するようになっている。
また、吸水性ポリマー８２としては、ポリアクリル酸塩系、ポリスルホン酸塩系、無水マレイン酸塩系、ポリアクリルアミド系、ポリビニルアルコール系、ポリエチレンオキシド系、ポリアスパラギン酸塩系、ポリグルタミン酸塩系、ポリアルギン酸塩系、デンプン系、セルロース系などを用いることができる。
【００２８】
立ち上がり面９は、金属平板を折り曲げ加工した金属部材であり、建物１０の外周に沿って基礎２の上面に固定される固定部９１と、この固定部９１から水切り部材６側（建物１０の外側）へ約４５°上方に向かって突出する突出部９２と、この突出部９２の先端から約９０°基礎パッキン３側（建物１０の内側）へと折れ曲がる板受面９３と、を備えている。  この板受面９３は、吸水性体積膨張材８が膨張した場合に閉塞板７２が回動して立ち上がり面９と当接する際に、回動する閉塞板７２を受ける面である。板受面９３が閉塞板７２を受ける際、閉塞板７２は板受面９３よりも基礎パッキン３側へと突出するように受けられる。
また、板受面９３は、閉塞板７２を受ける際、全面が閉塞板７２に当接するように角度が設定されている。すなわち、第１実施形態では、板受面９３が突出部９２から約９０°折れ曲がるとしたが、板受面９３の延長線上にヒンジ７３が位置するように板受面９３の角度を調整すればよく、９０°に限定されるものではない。
また、閉塞板７２と板受面９３との止水性を高めるために、閉塞板７２と板受面９３との当接面の両方またはいずれか一方にブチルテープを貼り付ける構成としてもよい。
【００２９】
上述した構成の第１実施形態では、水が水切り部材６の裏側に入り込む際、４５°外側上方に突出している突出部９２によって浸入路をやや遮られる。そして、遮り切れなかった水は、すぐ隣に位置する閉塞板７２によって遮られることとなる。
このとき、遮られた水は閉塞板７２に設けられた通水穴７２ａを通過して裏側に配置された吸水性体積膨張材８に吸収されることとなる。
そして、吸水性体積膨張材８が吸水するとともに膨張し、閉塞板７２が立ち上がり面９へと次第に近づき、最終的には閉塞板７２が板受面９３に当接することとなる。
こうして、水が浸入するおそれがある際に小区画Ｃにおいて突出部９２と閉塞板７２とが通気経路ＶＲを遮断することとなる。
その後、水の浸入が無くなった際に吸水性体積膨張材８が乾燥とともに収縮して閉塞板７２が板受面９３と次第に離間していくことで、通気経路ＶＲが再び通気可能に開放されることとなる。
【００３０】
（１）以上のように、第１実施形態では、例えば、図１に示すように、基礎２と建物躯体４との間に設けられた通気孔３１付きの基礎パッキン３を介して床下空間Ｕと屋外Ｏとの間に形成される通気経路ＶＲの開閉構造において、前記建物躯体４の表面に取り付けられた外壁仕上げ材５の下方に水切り部材６が設けられ、前記水切り部材６は、前記基礎パッキン３の屋外Ｏ側に、前記基礎パッキン３から間隔を空けて配置され、前記基礎パッキン３の前方側となる前記水切り部材６の裏面空間には、吸水性体積膨張材８が設置され、この吸水性体積膨張材８が膨張した場合に前記通気経路ＶＲを閉塞可能とし、膨張しない場合に前記通気経路ＶＲを開放可能とする空間Ｓが形成されているものとした。
【００３１】
こうすることで、通気経路ＶＲには、吸水性体積膨張材８が設けられているので、水切り部材６の裏面側に水が浸入しても、通気経路ＶＲにおいて吸水性体積膨張材８が吸水するので基礎パッキン３の通気孔３１へと水が浸入することを防ぐことができる。
また、吸水性体積膨張材８が吸水して膨張した場合に閉塞されて通気が遮断可能な空間Ｓが形成されているので、仮に吸水性体積膨張材８が吸水可能な水量を超えて、これ以上吸水も膨張もできない状況になったとしても、吸水性体積膨張材８自体が空間Ｓを閉塞して通気を遮断することができる。
このため、水が水切り部材６の裏面側に大量に浸入したとしても、通気孔３１へと水が浸入することを防ぐことができる。
以上のように、水切り部材６の裏面側に水が浸入しても基礎パッキン３まで水が浸入することなく、床下空間Ｕに浸水させないことができる。
【００３２】
（２）また、第１実施形態では、例えば、図１，３に示すように、前記吸水性体積膨張材８は、前記水切り部材６の延設方向に沿って切れ目なく配置される長尺の部材であり、浸水により吸水して前記空間Ｓ内で膨張するものとした。
こうすることで、吸水して膨張した場合、水切り部材６の内部の空間Ｓを切れ目なく閉塞することができる。
このため、空間Ｓのわずかな隙間からさえも水の浸入を許すことなくより確実に水の浸入を防ぐことができる。例えば、洪水など建物１０が浸水してしまうような場合においても、床下空間Ｕへの水の浸入をより確実に防ぐことができる。
【００３３】
（３）また、第１実施形態では、例えば、図１に示すように、前記吸水性体積膨張材８は、前記空間Ｓのうち、吸水して膨張した後に乾燥とともに体積が収縮するのに伴って前記通気経路ＶＲを開放可能とする位置に取り付けられているものとした。
こうすることで、膨張した吸水性体積膨張材８が乾燥収縮して空間Ｓを通気可能に開放することができる。
このため、水切り部材６の裏面側に水が浸入するような場合には、吸水性体積膨張材８が膨張して基礎パッキン３の通気孔３１へと水が浸入しないように空間Ｓを閉塞して通気を遮断することができる。
また、水切り部材６の裏面側に水が浸入しない場合には、吸水性体積膨張材８が乾燥とともに体積が収縮して空間Ｓを通気可能に開放することができる。
つまり、天候条件により、適宜空間Ｓを開放または遮断することができる。
【００３４】
（４）また、第１実施形態では、例えば、図１に示すように、前記水切り部材６の裏面の前記通気経路ＶＲの一部には小区画Ｃが設けられ、前記小区画Ｃの内部に前記吸水性体積膨張材８が設置されているものとした。
こうすることで、吸水性体積膨張材８が膨張することで小区画Ｃの内部に充満した状態となり、より確実に空間Ｓを閉塞して通気を遮断して水の浸入を防ぐことができる。
【００３５】
（５）また、第１実施形態では、例えば、図１に示すように、前記水切り部材６には、前記通気経路ＶＲを閉塞する閉塞板７２が設けられ、前記閉塞板７２は、前記吸水性体積膨張材８が膨張することで前記通気経路ＶＲを閉塞し、乾燥とともに体積が収縮すると前記通気経路ＶＲを通気可能に開放するものとした。
こうすることで、吸水性体積膨張材８により空間Ｓを閉塞するよりも止水性が高く確実に空間Ｓを閉塞することができる。
【００３６】
（６）また、第１実施形態では、吸水性ポリマー８２が徐放性を有するものとした。
こうすることで、雨が降ると吸水性体積膨張材８が膨潤して閉塞板７２が板受面９３と当接して空間Ｓの通気を遮断するが、雨が止むと数日のうちに乾燥とともに収縮して閉塞板７２が板受面９３と離間して空間Ｓを通気可能に開放し、床下空間Ｕとの通気を再開させることができる。
つまり、雨などの防水および止水を優先したい場合には、吸水性体積膨張材８が膨潤して防水および止水効果を発揮し、晴天時など換気を優先したい場合には、吸水性体積膨張材８が収縮して換気効果を発揮するスイッチング機能を持たせることができる。
よって、天候に合わせて空間Ｓのシャッターを開閉するような手動作業が不要であり、天候に合わせて自動で空間Ｓの通気を開閉することができる。
【００３７】
（７）また、第１実施形態では、例えば、図３に示すように、吸水性体積膨張材８が吸水性ポリマー８２を備え、この吸水性ポリマー８２としては、例えば、ポリアクリル酸塩系、ポリスルホン酸塩系、無水マレイン酸塩系、ポリアクリルアミド系、ポリビニルアルコール系、ポリエチレンオキシド系、ポリアスパラギン酸塩系、ポリグルタミン酸塩系、ポリアルギン酸塩系、デンプン系、セルロース系などを用いることができるものとした。
こうすることで、汎用性の高い素材を吸水性ポリマー８２として用いることができ、設計変更なども容易に行うことができ、当該発明を安価に実施することができる。
【００３８】
（８）また、第１実施形態では、閉塞板７２には、複数の通水穴７２ａが設けられるものとした。
こうすることで、空間Ｓに浸入する水を効率よく閉塞板７２の裏側にある吸水性体積膨張材８に吸水させることができる。
このため、空間Ｓに水が浸入し始めるとすぐに吸水性体積膨張材８を膨張させることができ、いち早く閉塞板７２を板受面９３に当接させて空間Ｓの通気を遮断することができる。
【００３９】
（９）また、第１実施形態では、立ち上がり面９が板受面９３を備えており、この板受面９３の全面が閉塞板７２と当接するような角度に設定されているものとした。
こうすることで、閉塞板７２が突出部９２の先端と当接して空間Ｓの通気を遮断する場合に比べて良好に遮断することができる。また、板受面９３の全面が閉塞板７２に当接するため、より確実に空間の通気を遮断することができる。
【００４０】
（１０）また、第１実施形態では、突出部９２が建物１０の外側に向かって４５°上方に突出するものとした。
こうすることで、基礎２の外周面と水切り部材６の鉛直部６３との距離寸法よりも突出部９２の先端から鉛直部６３までの距離寸法の方が短くなり、空間Ｓへの水の浸入を抑えることができる。
また、突出部９２に下方から吹き付ける水を閉塞板７２の通水穴７２ａへと跳ね返すことができ、より一層、効率よく吸水性体積膨張材８を膨張させることができ、迅速に空間Ｓの通気を遮断することができる。
【００４１】
本発明の第２実施形態では、図４に示すように、建物１０は、地盤に設けられる基礎２と、この基礎２の上に建物１０の外周に沿って載置される基礎パッキン３と、この基礎パッキン３に載置される建物躯体４と、この建物躯体４の表面に取り付けられる外壁仕上げ材５と、この外壁仕上げ材５の下方において基礎パッキン３と間隔を空けて設けられる水切り部材６と、を備えている。
また、通気経路開閉構造１は、基礎パッキン３と水切り部材６との間に設けられる貯留槽１１と、この貯留槽１１内に設けられる吸水性体積膨張材８と、貯留槽１１の上方に水切り部材６から垂下して設けられる下垂部１２と、を備えている。
【００４２】
貯留槽１１は、建物１０の外周に沿って設けられる金属部材であって、基礎２から建物１０の外側へと水平に一部突出する底１１１と、この底１１１の先端から垂直上方に立ち上がる立ち上がり面１１２と、この立ち上がり面１１２より建物１０の内側で底１１１の他端から垂直上方に設けられた立ち上がり１１３と、を備えている。
また、底１１１は、基礎２から突出するが、水切り部材６の鉛直部６３と隙間Ｎを空けて突出しており、この突出した箇所には吸水性体積膨張材８へと水を通過させる通水穴１１１ａが複数設けられている。
また、立ち上がり１１２には、下部に水を排出可能な排水口１１２ａが延設方向に沿って複数設けられている。
また、底１１１の一部が基礎２から突出しているため、基礎２と鉛直部６３との隙間Ｎが小さくなり、底１１１の下面が基礎２の近傍に返しのような水平面を設けることとなる。また、立ち上がり１１２が設けられているので、隙間Ｎから雨水が浸入しても立ち上がり１１２に遮られるようになっている。
このため、たとえ立ち上がり１１２を越えて浸入したとしても、越えた先に貯留槽１１が形成されているので、そこに水が貯留されるようになっている。
【００４３】
下垂部１２は、水切り部材６の延出部６２から貯留槽１１の上方、吸水性体積膨張材８の延設方向における中心線に沿って延設されている。具体的には、吸水性体積膨張材８の上方でかつ、立ち上がり１１２，１１３の上端よりも低い位置まで垂下された金属部材である。
つまり、立ち上がり１１２，１１３と下垂部１２との寸法を合わせると、基礎２と建物躯体４との間の寸法と同一もしくは長くなるように形成されている。
すなわち、鉛直部６３と立ち上がり１１２との間から水が浸入した場合、貯留槽１１の上を飛び越える水は下垂部１２に当たって、下の貯留槽１１へと落下するようになっている。
【００４４】
次に、図４ｂ）に示すように、吸水性体積膨張材８が膨潤した場合、吸水性体積膨張材８は下垂部１２に当接するようになっている。つまり、吸水性体積膨張材８は、下部が底１１１に接着されており、上部が下垂部１２に押圧される状態となる。
このため、吸水性体積膨張材８が膨潤すると吸水性体積膨張材８より奥（建物１０の内側）に水が浸入する経路がなくなる。
すなわち、吸水性体積膨張材８が吸水量を超えたとしても、その段階で吸水性体積膨張材８が水を堰き止める土嚢のような役割を果たすようになっている。
また、下垂部１２により下方へと落下する水は吸水性体積膨張材８よりも外側に落下するため、吸水性体積膨張材８より内側へは浸入しない。
また、吸水性体積膨張材８が膨潤した後、貯留槽１１で吸水性体積膨張材８に堰き止められた水は立ち上がり１１２に設けられた排水口１１２ａから排水されることとなる。
その後、雨が止めば、吸水性体積膨張材８は、吸水した水を大気へと徐放するので、乾燥とともに次第に収縮して下垂部１２と離間するようになり、再び空間Ｓが通気可能となる。
【００４５】
以上のように、第２実施形態では、第１実形態の（１）〜（４），（６），（７）と同様の作用効果を奏することができ、その他、以下のような作用効果を奏することができる。
（１１）第２実施形態では、下垂部１２が水切り部材６の延出部６２から貯留槽１１の上方、吸水性体積膨張材８の延設方向における中心線に沿って延設されているものとした。
こうすることで、吸水性体積膨張材８が吸水して膨張した際、下垂部１２の下端が袋８１の延設方向のおける中心線に沿って押圧することとなる。
このため、吸水性体積膨張材８と下垂部１２とを確実に密着させることができ、空間Ｓの通気を確実に遮断することができる。
【００４６】
（１２）第２実施形態では、例えば、図４に示すように、空間Ｓには、この空間Ｓの下方から立ち上がる立ち上がり１１２が設けられ、立ち上がり１１２よりも基礎パッキン３側に吸水性体積膨張材８が設けられるものとした。
こうすることで、立ち上がり６２より内側への浸水を防ぐことができ、さらに、立ち上がり１１２よりも内側に吸水性体積膨張材８があるので、吸水性体積膨張材８より内側への水の浸入を良好に防ぐことができる。
【００４７】
（１３）また、第２実施形態では、例えば、図４に示すように、空間Ｓには、この空間Ｓの上方から垂下する下垂部１２が設けられ、この下垂部１２の下方に吸水性体積膨張材８が設けられるものとした。
こうすることで、吸水性体積膨張材８の上方に隙間Ｎ１がある場合でも、吸水性体積膨張材８の上方に下垂部１２が設けられることで、例えば、吸水性体積膨張材８の上方を水が飛び越えて浸入してしまうことを防ぐことができる。
また、下垂部１２により止められた水が下垂部１２を伝って下方へと流れ落ちた際、吸水性体積膨張材８が下垂部１２の下方にあるので、吸水性体積膨張材８により即座に吸水することができる。
【００４８】
（１４）また、第２実施形態では、例えば、図４に示すように、空間Ｓには、浸入した水を収容する貯留槽１１が設けられ、この貯留槽１１に吸水性体積膨張材８が設けられるものとした。
こうすることで、浸入した水を貯留槽１１に収容し、収容した水を吸水性体積膨張材８で吸収することができる。
【００４９】
（１５）また、第２実施形態では、立ち上がり１１２の下部に排水口１１２ａが設けられるものとした。
こうすることで、吸水性体積膨張材８が膨潤して底１１１と下垂部１２との間を塞ぎ、貯留槽１１に堰き止められた水を排水口１１２ａから排水することができる。
【００５０】
（１６）また、第２実施形態では、吸水性体積膨張材８の一方の面に接着面を設けるものとした。
こうすることで、吸水性体積膨張材８を貯留槽１１の好適な位置に位置決め固定することができ、吸水性体積膨張材８が膨潤した際、確実に底１１１と下垂部１２との間を塞ぐことができ、貯留槽１１内で水を確実に堰き止めることができる。
【００５１】
（１７）また、第２実施形態では、貯留槽１１の底１１１が基礎２から一部突出するものとした。
こうすることで、隙間Ｎの幅が狭くなるだけでなく、基礎２の外周面近傍に水平面を構築することができる。
このため、例えば、水平面がない場合は基礎２の外周面に打ち付けられた雨粒が跳ね返ると、そのまま隙間Ｎに浸入してしまうが、水平面が設けられているので跳ね返った雨粒は水平面に阻害されるため、隙間Ｎへの浸入を低減することができる。
【００５２】
（１８）また、第２実施形態では、吸水性体積膨張材８が接着される底１１１に通水穴１１１ａが設けられているものとした。
こうすることで、底１１１の下面に当たる水が通水穴１１１ａを通過して、底１１１の上面に接着されている吸水性体積膨張材８に吸水されることとなる。
このため、吸水性体積膨張材８は、効率よく水を吸収することができ、空間Ｓに水が浸入する要因が生じた際、いち早く膨張して空間Ｓの通気を遮断することができる。
【００５３】
本発明の第３実施形態では、図５に示すように、建物１０は、地盤に設けられる基礎２と、この基礎２の上に建物１０の外周に沿って載置される基礎パッキン３と、この基礎パッキン３に載置される建物躯体４と、この建物躯体４の表面に取り付けられる外壁仕上げ材５と、この外壁仕上げ材５の下方において基礎パッキン３と間隔を空けて設けられる水切り部材６と、を備えている。
また、通気経路開閉構造１は、水切り部材６の内部に設けられる吸水性体積膨張材８と、水切り部材６の延出部６２の内側から鉛直下方に垂下する下垂部１２と、この下垂部１２の下方に設けられる遮断部１３と、を備えている。
【００５４】
遮断部１３は、吸水性体積膨張材８を収容する収容部１３１と、この収容部１３１に取り付けられる空間Ｓの通気を遮断する遮断部材１３２と、を備えている。
収容部１３１は、建物１０の外周に沿って延設される断面略Ｌ字状の金属部材であり、基礎２の上面に取り付けられる取付板１３１ａと、この取付板１３１ａの先端から鉛直上方に立ち上がる立ち上がり面１３１ｂと、を備えている。
取付板１３１ａには、立ち上がり面１３１ｂの近傍において吸水性体積膨張材８が接着されている。この吸水性体積膨張材８が配置される箇所には、吸水性体積膨張材８へと水を受けさせるための通水穴１３１ｃが複数設けられている。
【００５５】
遮断部材１３２は、収容部１３１に沿って延設される金属部材であり、取付板１３１ａの上面に取り付けられる固定板１３２ａと、下垂部１２と当接することで空間Ｓの通気を遮断する遮断板１３２ｂと、固定板１３２ａと遮断板１３２ｂとを回動可能に連結するヒンジ１３２ｃと、を備えている。
固定板１３２ａは、ヒンジ１３２ｃが下垂部１２の略真下に配置されるように取り付けられている。そして、遮断板１３２ｂは、収容部１３１側の面に吸水性体積膨張材８が接着されており、吸水性体積膨張材８が膨張するとともに押し上げられ、ヒンジ１３２ｃを軸に回動することで下垂部１２に当接するようになっている。
また、遮断板１３２ｂと下垂部１２との止水性を高めるために、遮断板１３２ｂと下垂部１２との当接面の両方またはいずれか一方にブチルテープを貼り付ける構成としてもよい。
【００５６】
以上のように、第３実施形態では、第１実施形態の（１）〜（４），（６），（７）、並びに、第２実施形態の（１２），（１３），（１８）と同様の作用効果を奏することができ、その他、以下のような作用効果を奏することができる。
（１９）第３実施形態では、ヒンジ１３２ｃを軸に回動可能な遮断板１３２ｂが吸水性体積膨張材８と接着されており、吸水性体積膨張材８が膨張または収縮するとともに遮断板１３２ｂが回動し、この回動が下垂部１２により制限されるものとした。
こうすることで、回動した遮断板１３２ｂが下垂部１２に当接して空間Ｓの通気を遮断することができる。
【００５７】
（２０）また、第３実施形態では、吸水性体積膨張材８が遮断板１３２ｂよりも屋外Ｏ側に設けられているものとした。
こうすることで、例えば、洪水のような大量の水が床下空間Ｕへと浸入しようとするような場合でも、吸水性体積膨張材８が遮断板１３１ｂを下垂部１２に押圧する方向と同一方向から水圧がかかるため、一たび遮断板１３１ｂが下垂部１２と当接して空間Ｓの通気を遮断してしまえば、大量の水が押し寄せたとしても空間Ｓの遮断が解除されるおそれがなく、確実に空間Ｓの通気を遮断することができる。
【００５８】
以上、本発明を第１実施形態から第３実施形態に基づいて具体的に説明してきたが、本発明は上記実施形態に限定されるものではなく、その要旨を逸脱しない範囲で変更可能である。
第１実施形態から第３実施形態では、吸水性体積膨張材８に接着面を設けるとしたが、これに限らず、例えば、接着面ではなく、釘やビスなどで位置決め固定してもよい。
【００５９】
また、第２実施形態では、立ち上がり１１２の下部に排水口１１２ａを設けるとしたが、これに限らず、例えば、基礎２から突出した底１１１に排水口を設けてもよい。
また、第２実施形態では、水切り部材６および貯留槽１１を金属部材としたが、これに限らず、例えば、樹脂素材カーボンファイバーなどを用いてもよい。
【００６０】
また、第１実施形態から第３実施形態では、水切り部材６の内部である小空間Ｃ内に吸水性体積膨張材８を設けることとしたが、これに限らず、例えば、基礎パッキン３の屋外Ｏ側に直接吸水性体積膨張材８を設けることとしてもよい。
こうすることで、簡易な構成により床下空間Ｕへの水の浸入を防ぐことができる。
【００６１】
また、吸水性体積膨張材８が膨張した際、直方体状や三角柱状になるとしたが、これに限らず、例えば、円柱状に膨張するようにしてもよく、空間Ｓの通気を遮断できる構成であればいずれでもよい。
【符号の説明】
【００６２】
１     通気経路開閉構造
２     基礎
３     基礎パッキン
４     建物躯体
５     外壁仕上げ材
６     水切り部材
７     閉塞部
８     吸水性体積膨張材
９     立ち上がり面
１０   建物
１１   貯留槽
１２   下垂部
１３   遮断部
３１   通気孔
３２   貫通口
３３   釘孔
６１   固定部
６２   延出部
６３   鉛直部
７１   取付板
７２   閉塞板
７２ａ 通水穴
７３   ヒンジ
８１   袋
８２   吸水性ポリマー
８３   ガゼット
９１   固定部
９２   突出部
９３   板受面
１１１ 底
１１１ａ      通水穴
１１２ 立ち上がり面
１１２ａ      排水口
１３１ 収容部
１３１ａ      取付板
１３１ｂ      立ち上がり面
１３１ｂ      遮断板
１３１ｃ      通水穴
１３２ 遮断部材
１３２ａ      固定板
１３２ｂ      遮断板
１３２ｃ      ヒンジ
Ｃ     小区画
Ｎ     隙間
Ｏ     屋外
Ｓ     空間
Ｕ     床下空間
ＶＲ   通気経路
【図１】
0006532774.tif 000002
【図２】
0006532774.tif 000003
【図３】
0006532774.tif 000004
【図４】
0006532774.tif 000005
【図５】
0006532774.tif 000006